(57)【特許請求の範囲】
【請求項１】
内部に回路基板が収納された基板収納ボックスに蓋体をスライド不能にロックするための、錠止ピンと係止爪とからなる錠止体を用いたボックス錠止機構であって、
基板収納ボックスは、側方部に有底筒状の錠止体収納部を備えており、
蓋体は、その裏面に錠止ピン係合孔を備えており、
錠止ピンは、錠止ピン係合孔に嵌め込まれる頭部を有していて、錠止体収納部内に収納されたときに上方に弾発可能であって、
係止爪は、蓋体をスライドさせて閉じるときに上方への弾発に抗して錠止体収納部内に錠止ピンと一体に押し込まれ、蓋体をスライドさせて閉じたときには錠止ピンとともに上方に弾発されて、係止爪の先端部が錠止ピンの頭部より側方へ突出して錠止体収納部の上縁と係合して、錠止ピンの下方への取り出しを不可能とするものであることを特徴とするボックス錠止機構。
【発明の詳細な説明】
【０００１】
【発明の属する技術分野】
本発明は、パチンコ機の回路基板を収納した基板収納ボックスをロックするための錠止体及びこれを用いたボックス錠止機構に関するものである。
【０００２】
【従来の技術】
パチンコ機の入賞率を決定するプログラムはＲＯＭに書き込まれているため、正規のＲＯＭを改造されたＲＯＭに不正に交換して不当な出玉を得る事件が発生している。このため、最近ではＲＯＭを含む回路基板を基板収納ボックス内に収納し、このボックスの蓋体を破壊しなければＲＯＭの交換ができないようにする工夫が行なわれ、このためのボックス錠止機構に関して既に多数の特許が出願されている。
【０００３】
従来のこの種のボックス錠止機構の多くは、基板収納ボックスの錠止体収納部にセットされた錠止ピンが蓋体を閉じたときに弾性手段により上方に飛び出して蓋体の裏面の錠止ピン係合穴と係合し、その後は蓋体を破壊して錠止ピンを抜き取らない限り蓋体を開けない構造となっている。ところが従来のボックス錠止機構は、基板収納ボックスの錠止体収納部を裏面から破壊して錠止ピンを下方に引き抜き、蓋体を開いて内部のＲＯＭを交換するという新しい手口に対しては効果的ではないことが判明した。
【０００４】
【発明が解決しようとする課題】
本発明は上記した従来の問題点を解決して、基板収納ボックスの錠止体収納部を裏面から破壊しても蓋体を開けないようにした錠止体及びこれを用いたボックス錠止機構を提供するためになされたものである。
【０００５】
【課題を解決するための手段】
上記の課題を解決するためになされたボックス錠止機構は、内部に回路基板が収納された基板収納ボックスに蓋体をスライド不能にロックするための、錠止ピンと係止爪とからなる錠止体を用いたボックス錠止機構であって、
基板収納ボックスは、側方部に有底筒状の錠止体収納部を備えており、
蓋体は、その裏面に錠止ピン係合孔を備えており、
錠止ピンは、錠止ピン係合孔に嵌め込まれる頭部を有していて、錠止体収納部内に収納されたときに上方に弾発可能であって、
係止爪は、蓋体をスライドさせて閉じるときに上方への弾発に抗して錠止体収納部内に錠止ピンと一体に押し込まれ、蓋体をスライドさせて閉じたときには錠止ピンとともに上方に弾発されて、係止爪の先端部が錠止ピンの頭部より側方へ突出して錠止体収納部の上縁と係合して、錠止ピンの下方への取り出しを不可能とするものであることを特徴とするものである。
【０００６】
本発明によれば、基板収納ボックスの錠止体収納部を裏面から破壊しても、係止爪が錠止体収納部の上縁と係合しているため、係止爪を下方に引き抜くことができず、従ってその上部にある錠止ピンも下方に引き抜くことができない。このため、錠止ピンの引き抜きは蓋体側からだけしか行うことができないこととなり、錠止体収納部を裏面から破壊してＲＯＭを不正交換するという新しい手口に対抗することができる。
【０００７】
【発明の実施の形態】
以下に本発明の好ましい実施の形態を示す。図１は本発明の錠止体の分解斜視図、図２はその平面図および各部の断面図である。また図３〜図５は本発明の錠止体を用いたボックス錠止機構の要部の断面図である。
【０００８】
これらの図に示されるように、本発明の錠止体は錠止ピン１と係止爪２とからなる。錠止ピン１は円柱状のもので頭部１ａを除く両側面にはそれぞれ深い縦溝３が形成されている。この縦溝３の下部には段部４が形成されている。また錠止ピン１の底面から丸穴５が形成され、その内部に弾性手段６が収納されている。なお、丸穴５の中心には弾性手段６の上部を挿入固定するための突起７が突設されている。
【０００９】
図３に示されるように、本発明の錠止体は基板収納ボックス８の側方部に形成された有底筒状の錠止体収納部９に収納されるもので、錠止体収納部９の内底面に弾性手段６の下端が接することにより、錠止ピン１を常に上方に弾発するようになっている。このため、図５に示されるように蓋体１０を閉じたとき、錠止ピン１の頭部１ａは蓋体１０の裏面に形成された錠止ピン係合穴１１に嵌まり、蓋体１０をスライドさせることができないようにロックできる。
【００１０】
この実施形態では、係止爪２はこの錠止ピン１の両側面の縦溝３内に下側から嵌め込まれるもので、図１に示されるように錠止ピン１の外径と同一の外径を持つ環状部１２の両端に２本の可撓部１３を一体に成形し、全体としてＵ字状としたものである。環状部１２の中心孔は弾性手段６を通すためのものである。
【００１１】
２本の可撓部１３の途中には、錠止ピン１の縦溝３内に形成された段部４と係合する保持爪１４が突設されている。この保持爪１４の上面は斜面であり、下面は可撓部１３の内面に対して直角となっているため、係止爪２を錠止ピン１の両側面の縦溝３内に下側から嵌め込むと、可撓部１３は外側に拡がりながら保持爪１４が段部４と係合し、一体化する。
【００１２】
また係止爪２の２本の可撓部１３の先端部１５は、外力を受けないときには錠止ピン１の側面よりも外側に突出しているが、外力を加えることにより縦溝３内に納まることができるようになっている。
【００１３】
請求項２のボックス錠止機構は、図３〜図５に示すように基板収納ボックス８の側方部に形成された有底筒状の錠止体収納部９に、上記の錠止体を収納したものである。上記のように係止爪２は錠止ピン１の側面よりも外側に突出しているため、側方から係止爪２を錠止ピン１の頭部１ａの下の縦溝３内に押し込みながら、錠止体を錠止体収納部９内に収納する。なお、このボックス錠止機構では蓋体１０は図４に矢印で示す特定方向からスライドさせて基板収納ボックス８に嵌め込む構造としておく必要がある。このため、図４のように錠止体を弾性手段６に抗して押し込みながら蓋体１０を閉じる。
【００１４】
このようにして蓋体１０を完全に閉じると、錠止体は弾性手段６により押し上げられ、錠止ピン１の頭部１ａは蓋体１０の裏面に形成された錠止ピン係合穴１１に嵌まり込む。またこれとともに係止爪２も押し上げられてその先端部１５が外側に拡がって錠止体収納部９の上縁に係合し、錠止ピン１の頭部１ａよりも側方に突出する。この状態となると、もはや錠止ピン１を下方に押し込むことができなくなる。上記したようにこの蓋体１０はスライド式のものであるが、錠止ピン１の頭部１ａが蓋体１０のスライドをロックしているため、その後は蓋体１０に形成された錠止体カバー１６を破壊して錠止体を錠止体収納部９から抜き取らなければ、蓋体１０を開くことができなくなる。
【００１５】
また、盤の裏面からドリル等によって錠止体収納部９の底面に孔を開いても、弾性手段６を取り除くことはできるものの、係止爪２の先端部１５が錠止体収納部９の上縁に係合しているため、錠止体を下方に取り出すことはできない。また蓋体１０があるため、錠止体を上方に取り出すことは勿論不可能である。従って本発明のボックス錠止機構は、錠止体収納部９を裏面から破壊しても蓋体１０のロックを破れない効果がある。
【００１６】
なお、メーカーからの出荷後に行われる警察による検査の際には、蓋体１０に形成された錠止体カバー１６を破壊して錠止体を錠止体収納部９から抜き取り、検査終了後は別の錠止体収納部９に錠止体を移し、再び上記のように蓋体１０を閉じればよい。
【００１７】
【発明の効果】
以上に説明したように、本発明によれば蓋体を確実にロックすることができ、仮に基板収納ボックスの錠止体収納部を裏面から破壊しても蓋体を開くことができない。このため、正規のＲＯＭを改造されたＲＯＭに不正に交換することができない利点がある。
【図面の簡単な説明】
【図１】本発明の錠止体の分解斜視図である。
【図２】本発明の錠止体の平面図および各部の断面図である。
【図３】本発明のボックス錠止機構の要部の断面図であり、蓋体を開いた状態を示す。
【図４】蓋体を閉じようとする状態を示す断面図である。
【図５】蓋体を閉じた状態を示す断面図である。
【符号の説明】
１ 錠止ピン
１ａ 錠止ピンの頭部
２ 係止爪
３ 縦溝
４ 段部
５ 丸穴
６ 弾性手段
７ 突起
８ 基板収納ボックス
９ 錠止体収納部
１０ 蓋体
１１ 錠止ピン係合穴
１２ 環状部
１３ 可撓部
１４ 保持爪
１５ 先端部
１６ 錠止体カバー
【図１】
0004073067.tif 000002
【図２】
0004073067.tif 000003
【図３】
0004073067.tif 000004
【図４】
0004073067.tif 000005
【図５】
0004073067.tif 000006